(57)【要約】【課題】検査時における検査液の取り扱い性を高めることを可能とした検体検査キットを提供する。【解決手段】樹脂製抽出キャップ２１は、樹脂製抽出キャップ２１の底部から樹脂製抽出キャップ２１の開口に向けて突き出る錐体状を有し、かつ、樹脂製抽出キャップ２１の筒内と樹脂製抽出キャップ２１の筒外とを通じる通路を備えるトリガー突起２２を備え、螺着部２３と被螺着部１３との螺合によってトリガー突起２２にシール１２を突き破らせてトリガー突起２２をチューブ端部内へ進入させる。【選択図】図４
2018013429.tif 000002
【特許請求の範囲】
【請求項１】
検査液を収容するための筒状を有した樹脂製収容チューブであって、シールによって閉じられた開口を含むチューブ端部と、前記チューブ端部の外周面に位置する被螺着部とを備える前記樹脂製収容チューブと、
前記チューブ端部が差し込まれる開口を有した有底の筒状を有する樹脂製抽出キャップであって、前記被螺着部に螺合可能な形状を有する螺着部が位置する内周面を備え、前記螺着部が前記被螺着部と螺合することによって、前記樹脂製抽出キャップの筒内に前記チューブ端部を収容する前記樹脂製抽出キャップとを備え、
前記樹脂製抽出キャップは、前記樹脂製抽出キャップの底部から前記樹脂製抽出キャップの開口に向けて突き出る錐体状を有し、かつ、前記樹脂製抽出キャップの筒内と前記樹脂製抽出キャップの筒外とを通じる通路を備えるトリガー突起を備え、前記螺着部と被螺着部との螺合によって、前記トリガー突起に前記シールを突き破らせて前記トリガー突起を前記チューブ端部内へ進入させる
検体検査キット。
【請求項２】
前記チューブ端部の内周面は、前記螺着部と前記被螺着部とが螺合した状態において、前記トリガー突起によって破断された前記シールを前記トリガー突起の外周面に押し付ける大きさを有する
請求項１に記載の検体検査キット。
【請求項３】
前記チューブ端部は、チューブ先端部であり、
前記樹脂製収容チューブは、前記チューブ先端部とは反対側の筒端部であるチューブ基端部を備える可撓性を有した樹脂成形体であり、
前記チューブ先端部は、前記被螺着部よりも前記チューブ基端部側に、前記外周面の周方向の全体にわたるシールリブを備え、
前記シールリブは、前記螺着部と前記被螺着部とが螺合した状態において、前記樹脂製抽出キャップの内周面に押し付けられる大きさを有する
請求項１または２に記載の検体検査キット。
【請求項４】
前記チューブ端部は、チューブ先端部であり、
前記樹脂製収容チューブは、前記チューブ先端部とは反対側の筒端部であるチューブ基端部を備える可撓性を有した樹脂成形体であり、
前記樹脂製収容チューブの外周面は、前記被螺着部よりも前記チューブ基端部側に、前記樹脂製収容チューブにおける径方向の外側に突き出る補強リブを備える
請求項１から３のいずれか一項に記載の検体検査キット。
【請求項５】
前記樹脂製抽出キャップは、前記トリガー突起が備える通路と連通する滴下ノズルを前記樹脂製抽出キャップの外側底面に備える
請求項１から４のいずれか一項に記載の検体検査キット。
【請求項６】
前記シールは、樹脂シールを含む
請求項１から５のいずれか一項に記載の検体検査キット。
【発明の詳細な説明】
【技術分野】
【０００１】
本発明は、検体検査キットに関する。
【背景技術】
【０００２】
採取された検体を検査するための検体検査キットの一例に、採便検査キットが知られている。採便検査キットは、例えば、便溶解用緩衝液に便を溶解した検査液を保持する樹脂製収容チューブと、検査液を用いて便の検査を行う検査器具とを備える。樹脂製収容チューブは、検査作業者の手間を軽減すること、検査液の漏洩を抑えること、これらを目的として、検査器具が備えるトリガー突起に破断されるシールを備える。そして、樹脂製収容チューブが検査器具に装着されることによって、樹脂製収容チューブのシールに向けてトリガー突起が差し込まれ、トリガー突起が備える中空路から検査試薬へ検査液が浸透する（例えば、特許文献１を参照）。
【先行技術文献】
【特許文献】
【０００３】
【特許文献１】国際公開第２０１３／１４１１０３号
【発明の概要】
【発明が解決しようとする課題】
【０００４】
ところで、樹脂製収容チューブの備えるシールは、樹脂製収容チューブから検査液が漏洩することを抑えるための十分な厚さや硬さを備える。そして、シールの破断に際しては、このシールを破断する程の大きな押圧力が、トリガー突起からシールに加えられる。トリガー突起からシールに加えられる押圧力は、例えば、検査作業者がトリガー突起にシールを押し付ける力であって、その印加を急には止め難い力でもある。そのため、シールが破断された直後には、シールの溶着部と、トリガー突起の基端部などとが衝突し、樹脂製収容チューブの内部から検査液が飛散する場合がある。
本発明は、検査時における検査液の取り扱い性を高めることを可能とした検体検査キットを提供することを目的とする。
【課題を解決するための手段】
【０００５】
上記課題を解決するための検体検査キットは、検査液を収容するための筒状を有した樹脂製収容チューブであって、シールによって閉じられた開口を含むチューブ端部と、前記チューブ端部の外周面に位置する被螺着部とを備える前記樹脂製収容チューブを備える。また、検体検査キットは、前記チューブ端部が差し込まれる開口を有した有底の筒状を有する樹脂製抽出キャップであって、前記被螺着部に螺合可能な形状を有する螺着部が位置する内周面を備え、前記螺着部が前記被螺着部と螺合することによって、前記樹脂製抽出キャップの筒内に前記チューブ端部を収容する前記樹脂製抽出キャップを備える。そして、前記樹脂製抽出キャップは、前記樹脂製抽出キャップの底部から前記樹脂製抽出キャップの開口に向けて突き出る錐体状を有し、かつ、前記樹脂製抽出キャップの筒内と前記樹脂製抽出キャップの筒外とを通じる通路を備えるトリガー突起を備え、前記螺着部と被螺着部との螺合によって、前記トリガー突起に前記シールを突き破らせて前記トリガー突起を前記チューブ端部内へ進入させる。
【０００６】
上記構成によれば、樹脂製抽出キャップと樹脂製収容チューブとの螺合によって、トリガー突起が、シールを破断する。この際、シールを破断したトリガー突起のチューブ端部内へ進む速さは、螺着部と被螺着部との螺合の進む速さに相当する。結果として、螺着部と被螺着部との螺合が進めば、トリガー突起のチューブ端部内への進入が進み、螺着部と被螺着部との螺合の進みが止れば、トリガー突起のチューブ端部内への進入が止る。トリガー突起のチューブ端部内への進入が螺合により行われるため、シールの溶着部と、トリガー突起の基端部などとの衝突による検査液の飛散が抑えられる。ひいては、検査時における検査液の取り扱い性を高めることが可能となる。
【０００７】
上記検体検査キットでは、前記チューブ端部の内周面は、前記螺着部と前記被螺着部とが螺合した状態において、前記トリガー突起によって破断された前記シールを前記トリガー突起の外周面に押し付ける大きさを有してもよい。
【０００８】
上記検体検査キットによれば、トリガー突起によって破断されたシールが、チューブ端部の内周面によって、トリガー突起の外周面に押し付けられる。そのため、シールが破断された後であっても、螺着部と被螺着部とが螺合した状態においては、樹脂製収容チューブと樹脂製抽出キャップとの隙間から検査液が漏洩することを抑えることが可能ともなる。
【０００９】
上記検体検査キットにおいて、前記チューブ端部は、チューブ先端部であり、前記樹脂製収容チューブは、前記チューブ先端部とは反対側の筒端部であるチューブ基端部を備える可撓性を有した樹脂成形体である。そして、前記チューブ先端部は、前記被螺着部よりも前記チューブ基端部側に、前記外周面の周方向の全体にわたるシールリブを備え、前記シールリブは、前記螺着部と前記被螺着部とが螺合した状態において、前記樹脂製抽出キャップの内周面に押し付けられる大きさを有してもよい。
【００１０】
上記検体検査キットによれば、チューブ端部の外周面に位置するシールリブが、樹脂製抽出キャップの内周面に押し付けられる。そのため、シールが破断された後であっても、螺着部と被螺着部とが螺合した状態においては、樹脂製収容チューブと樹脂製抽出キャップとの隙間から検査液が漏洩することを抑えることが可能ともなる。
【００１１】
上記検体検査キットにおいて、前記チューブ端部は、チューブ先端部であり、前記樹脂製収容チューブは、前記チューブ先端部とは反対側の筒端部であるチューブ基端部を備える可撓性を有した樹脂成形体である。そして、前記樹脂製収容チューブの外周面は、前記被螺着部よりも前記チューブ基端部側に、前記樹脂製収容チューブにおける径方向の外側に突き出る補強リブを備えてもよい。
【００１２】
上記検体検査キットによれば、被螺着部よりもチューブ基端部側に位置する補強リブが、樹脂製収容チューブの剛性を高める。そのため、樹脂製収容チューブと樹脂製抽出キャップとの螺合に際して、樹脂製収容チューブが不要にねじられることが抑えられる。
【００１３】
上記検体検査キットにおいて、前記樹脂製抽出キャップは、前記トリガー突起が備える通路と連通する滴下ノズルを前記樹脂製抽出キャップの外側底面に備えてもよい。
【００１４】
上記検体検査キットによれば、樹脂製収容チューブに収容された検査液を、滴下ノズルによって滴下することが可能になる。そのため、検体検査キットを用いた検査における作業性を向上させることが可能ともなる。
上記検体検査キットにおいて、前記シールは、樹脂シールを含んでもよい。
上記検体検査キットによれば、シールが金属シールのみからなる構成と比べて、トリガー突起がシールを突き破る際に、シールが弾性変形しやすい。結果として、シールとトリガー突起との隙間から検査液が漏れることを抑えることが可能ともなる。
【図面の簡単な説明】
【００１５】
【図１】採便検査キットの一実施形態における分解斜視構造を示す斜視図。
【図２】採便検査キットの一実施形態における分解斜視構造を示す斜視図。
【図３】樹脂製抽出キャップの斜視構造を示す斜視図。
【図４】樹脂製抽出キャップの取り付け開始時を示す採便検査キットの作用図。
【図５】樹脂製抽出キャップの取り付け終了時を示す採便検査キットの作用図。
【図６】変形例の検体検査キットにおける使用形態を説明するための斜視図。
【発明を実施するための形態】
【００１６】
図１から図５を参照して、検体検査キットの一実施の形態として、採便検査キットに具体化した例を説明する。
図１が示すように、採便検査キットは、樹脂製収容チューブ１１と、樹脂製抽出キャップ２１とを備える。
【００１７】
樹脂製収容チューブ１１は、検査液を収容するための円筒状を有する。樹脂製収容チューブ１１は、チューブ先端部１１Ｅ１と、チューブ先端部１１Ｅ１とは反対側の端部であるチューブ基端部１１Ｅ２とを備える。チューブ先端部１１Ｅ１は、チューブ端部の一例である。なお、樹脂製収容チューブ１１が収容する検査液は、便溶解用緩衝液に便が溶解された液体である。便溶解用緩衝液は、緩衝剤を含み、便の検査に適した液体であればよく、安定剤、消臭剤、防腐剤、色素などの添加剤を含むことも可能である。
【００１８】
樹脂製収容チューブ１１のチューブ先端部１１Ｅ１は、円形孔状を有した開口を備える。チューブ先端部１１Ｅ１における端面は、平坦面であって、チューブ先端部１１Ｅ１における開口は、シール１２によって閉塞されている。シール１２を構成する材料は、アルミニウムなどの金属、ポリエチレンやポリプロピレンなどの樹脂、これらの組み合わせのいずれかである。シール１２による閉塞は、チューブ先端部１１Ｅ１とシール１２との熱溶着によるものであってもよいし、接着剤によるものであってもよい。
【００１９】
樹脂製収容チューブ１１のチューブ先端部１１Ｅ１における外周面は、雄ねじとして機能する被螺着部１３を備える。被螺着部１３は、樹脂製収容チューブ１１の延在方向に延びる螺旋状の突条である。なお、被螺着部１３は、チューブ先端部１１Ｅ１の周方向の全体にわたる突条であってもよいし、周方向の一部に形成された突条であってもよい。
【００２０】
樹脂製収容チューブ１１のチューブ基端部１１Ｅ２は、円形孔状を有した開口を備え、検体採取棒１１Ｋが螺着可能に構成されている。検体採取棒１１Ｋは、例えば、便を採取するための採便棒に具体化される。検体採取棒１１Ｋの先端は、便が付着しやすいように溝形状を備える。なお、検体採取棒１１Ｋが便を採取する際には、まず、検体採取棒１１Ｋは、樹脂製収容チューブ１１から取り外される。次いで、検体採取棒１１Ｋの先端が便に突き刺され、検体採取棒１１Ｋの溝形状が便を掻き取る。
【００２１】
樹脂製収容チューブ１１において、チューブ先端部１１Ｅ１の外周面は、シールリブ１４を備える。シールリブ１４は、被螺着部１３よりもチューブ基端部１１Ｅ２側に位置する。シールリブ１４は、チューブ先端部１１Ｅ１の外周面において径方向の外側に突き出る。シールリブ１４は、チューブ先端部１１Ｅ１の外周面において、周方向の全体にわたる環状を有する。
【００２２】
また、チューブ先端部１１Ｅ１の外周面は、補強リブ１５を備える。補強リブ１５は、シールリブ１４よりもチューブ基端部１１Ｅ２側に位置する。補強リブ１５は、チューブ先端部１１Ｅ１の外周面において、シールリブ１４よりも径方向の外側に突き出る。補強リブ１５は、チューブ先端部１１Ｅ１の外周面において、シールリブ１４よりも厚く、周方向の全体にわたる三重の環状を有する。補強リブ１５の有する外形は、例えば、図１に示すように、樹脂製収容チューブ１１の延在方向から見て、チューブ先端部１１Ｅ１を囲う四角枠状である。
【００２３】
樹脂製収容チューブ１１を構成する材料は、例えば、低密度ポリエチレンなどの可撓性を有した柔軟な樹脂である。樹脂製収容チューブ１１を構成する材料が、柔軟な樹脂であれば、樹脂製収容チューブ１１が潰され、それによって、樹脂製収容チューブ１１に収容された検体がスクイズされることも可能となる。なお、樹脂製収容チューブ１１を構成する材料の他の例は、ポリプロピレンやポリエチレンなどの樹脂である。
【００２４】
樹脂製抽出キャップ２１は、樹脂製収容チューブ１１のチューブ先端部１１Ｅ１が差し込まれる開口を有した有底の筒状を有する。樹脂製抽出キャップ２１の外側底面２１Ｂは、滴下ノズル２４を備える。樹脂製抽出キャップ２１は、有底の円筒状を有したキャップ本体部２１Ｍを備え、滴下ノズル２４は、キャップ本体部２１Ｍの外側底面に溶着あるいは嵌合されている。滴下ノズル２４は、樹脂製収容チューブ１１に収容された検査液を、所定のサイズの液滴として滴下する。
【００２５】
図２が示すように、樹脂製抽出キャップ２１の内周面２１Ｓは、螺着部２３を備える。螺着部２３は、キャップ本体部２１Ｍの中心軸に沿って延びる螺旋状を有する。螺着部２３は、樹脂製収容チューブ１１の被螺着部１３と螺合できる形状を有する。そして、螺着部２３が被螺着部１３と螺合することによって、樹脂製抽出キャップ２１の筒内に、樹脂製収容チューブ１１のチューブ先端部１１Ｅ１が収容される。
【００２６】
図３が示すように、キャップ本体部２１Ｍの底部は、トリガー突起２２を備える。トリガー突起２２は、樹脂製抽出キャップ２１の底部から、樹脂製抽出キャップ２１の開口に向けて突き出る錐体状を有する。
【００２７】
トリガー突起２２は、外径Ｄ１を有する円筒状を有した突起基部２２Ｅを備える。突起基部２２Ｅの外径Ｄ１は、樹脂製収容チューブ１１のチューブ先端部１１Ｅ１における内径とほぼ等しい。樹脂製抽出キャップ２１の内側底面は、平坦面であって、突起基部２２Ｅは、樹脂製抽出キャップ２１の内側底面と一体である。突起基部２２Ｅの内部には、フィルター２５が位置する。フィルター２５は、検査液の検査の妨げとなる固形分を濾過する機能を備え、検査液に対して不活性である。フィルター２５は、例えば、樹脂焼結フィルターや濾紙などの多孔性物質、脱脂綿やグラスウールなどの繊維性物質である。
【００２８】
トリガー突起２２は、突起基部２２Ｅから、樹脂製抽出キャップ２１の開口に向けて突き出る円錐部２２Ｔを備える。突起基部２２Ｅと円錐部２２Ｔとは、一体である。円錐部２２Ｔは、複数の貫通孔２２Ｈを備える。各貫通孔２２Ｈは、トリガー突起２２の突出する方向に、円錐部２２Ｔを貫通する。各貫通孔２２Ｈは、突起基部２２Ｅの筒内を介して、樹脂製抽出キャップ２１の筒内と、樹脂製抽出キャップ２１の筒外とを通じる通路として機能する。なお、円錐部２２Ｔの内部は、トリガー突起２２の先端における剛性を高めるためのリブを備える。
【００２９】
キャップ本体部２１Ｍの内周面は、内径Ｄ２を有した円筒面である。キャップ本体部２１Ｍの備える内径Ｄ２は、樹脂製収容チューブ１１のチューブ先端部１１Ｅ１が有する外径よりも大きく、かつ、シールリブ１４が有する外径よりも若干小さい。トリガー突起２２の突き出る方向、すなわち、キャップ本体部２１Ｍの中心軸に沿う方向において、樹脂製抽出キャップ２１の内側面が有する距離は、差し込み長さＨである。差し込み長さＨは、樹脂製収容チューブ１１の延在方向において、シール１２とシールリブ１４との距離よりも若干長い。
【００３０】
次に、上記採便検査キットの作用を説明する。
まず、検査液を収容した樹脂製収容チューブ１１から検体採取棒１１Ｋが取り外され、検体採取棒１１Ｋの先端が検体の一例である便などに突き刺される。次いで、検体を採取した後の検体採取棒１１Ｋが、樹脂製収容チューブ１１に再度取り付けられる。続いて、図４が示すように、樹脂製収容チューブ１１のチューブ先端部１１Ｅ１が、樹脂製抽出キャップ２１の開口から、樹脂製抽出キャップ２１の内部へ差し込まれる。次いで、樹脂製収容チューブ１１と樹脂製抽出キャップ２１とを相対的に回転させることによって、樹脂製収容チューブ１１の被螺着部１３と、樹脂製抽出キャップ２１の螺着部２３との螺合が進められる。これによって、トリガー突起２２の円錐部２２Ｔは、シール１２を破断し、チューブ先端部１１Ｅ１における内側へ、トリガー突起２２が進入する。
【００３１】
この際、樹脂製抽出キャップ２１の回転する方向は、樹脂製収容チューブ１１の周方向に固定される。そして、トリガー突起２２の進む方向は、樹脂製収容チューブ１１の延在方向に固定される。これによって、トリガー突起２２がシール１２を破断するための力の作用する方向は、トリガー突起２２がシール１２に対して進む方向、すなわち、螺着部２３や被螺着部１３の延在方向に固定される。そのため、トリガー突起２２がシール１２を破断するための力は、検査作業者の技術に応じてその印加の方向を変えることなく、安定した方向へ作用する。しかも、シール１２を破断するための力の作用する方向を安定させること、また、シール１２の破断にねじり力を加えることが可能であるから、シール１２そのものの厚さを厚くするとしても、そのシール１２の破断の進行を安定させることが可能ともなる。それゆえに、シール１２そのものの厚さを厚くし、それによって、検査液の漏洩を抑える効果を高めることも可能となる。
【００３２】
また、シール１２を破断したトリガー突起２２のチューブ先端部１１Ｅ１内へ進む速さは、螺着部２３と被螺着部１３との螺合の進む速さに相当する。結果として、螺着部２３と被螺着部１３との螺合が進めば、トリガー突起２２のチューブ先端部１１Ｅ１内への進入が進み、螺着部２３と被螺着部１３との螺合の進みが止れば、トリガー突起２２のチューブ先端部１１Ｅ１内への進入が止る。そのため、チューブ先端部１１Ｅ１の端面と、キャップ本体部２１Ｍの内側底面などとの衝突による検査液の飛散が抑えられる。ひいては、検査時における検査液の取り扱い性を高めることが可能となる。
【００３３】
なお、樹脂製収容チューブ１１の外周面は、被螺着部１３よりもチューブ基端部１１Ｅ２側に、樹脂製収容チューブ１１における径方向の外側に突き出る補強リブ１５を備える。こうした補強リブ１５は、樹脂製収容チューブ１１の剛性を高める。そのため、樹脂製収容チューブ１１と樹脂製抽出キャップ２１との螺合に際して、樹脂製収容チューブ１１が不要にねじられることが抑えられる。
【００３４】
図５が示すように、樹脂製収容チューブ１１のチューブ先端部１１Ｅ１における端面と、樹脂製抽出キャップ２１の内側底面とが、破断されたシール１２を挟持する。これによって、螺着部２３と被螺着部１３との螺合は完了する。樹脂製収容チューブ１１のチューブ先端部１１Ｅ１における端面と、樹脂製抽出キャップ２１の内側底面とが密着することにより、樹脂製収容チューブ１１と樹脂製抽出キャップ２１との隙間から検査液が漏洩することが抑えられる。
【００３５】
この際、樹脂製収容チューブ１１のチューブ先端部１１Ｅ１における内径が、突起基部２２Ｅの外径Ｄ１とほぼ等しいため、トリガー突起２２によって破断されたシール１２は、突起基部２２Ｅの外周面に押し付けられる。また、樹脂製収容チューブ１１のシールリブ１４における外径が、樹脂製抽出キャップ２１の内径Ｄ２よりも若干大きいため、シールリブ１４の外周面は、樹脂製抽出キャップ２１の内周面に押し付けられる。結果として、シール１２が破断された後であっても、被螺着部１３と螺着部２３との螺合が完了した状態においては、樹脂製収容チューブ１１と樹脂製抽出キャップ２１との隙間から検査液が漏洩することが抑えられる。
【００３６】
被螺着部１３と螺着部２３との螺合が完了した状態において、例えば、樹脂製収容チューブ１１がスクイズされると、樹脂製収容チューブ１１の内部に位置する検査液が、フィルター２５を通過し、滴下ノズル２４から滴下される。
【００３７】
以上、上記実施の形態によれば、以下に列挙される効果が得られる。
（１）螺着部２３と被螺着部１３との螺合の進みが止れば、トリガー突起２２のチューブ先端部１１Ｅ１内への進入が止る。そのため、チューブ先端部１１Ｅ１の端面と、樹脂製抽出キャップ２１の内側底面などとの衝突による検査液の飛散が抑えられる。
【００３８】
（２）螺着部２３と被螺着部１３とが螺合した状態においては、樹脂製収容チューブ１１と樹脂製抽出キャップ２１との隙間から検査液が漏洩することを抑えることが可能ともなる。
（３）樹脂製収容チューブ１１と樹脂製抽出キャップ２１との螺合に際して、樹脂製収容チューブ１１が不要にねじられることが抑えられる。
【００３９】
（４）樹脂製収容チューブ１１に収容された検査液を、滴下ノズル２４によって滴下することが可能になるため、採便検査キットを用いた検査における作業性を向上させることが可能ともなる。
（５）シール１２が樹脂シールを含むため、トリガー突起２２がシール１２を突き破る際に、シール１２が弾性変形しやすい。結果として、シール１２とトリガー突起２２との隙間から試薬が漏れることを抑えることが可能ともなる。
（６）検査が終了したときには、検体採取棒１１Ｋと樹脂製収容チューブ１１と樹脂製抽出キャップ２１とが組み合わされている。そのため、これらが一体に組み合わされたものとして、検査が終了した後の検体検査キットを廃棄することが可能となる。ひいては、検体検査キットの廃棄性や、検体検査キットの取り扱い上の安全性を向上させることが可能ともなる。
【００４０】
なお、上記実施の形態は、以下のように変更して実施することもできる。
・樹脂製抽出キャップ２１から滴下ノズル２４が割愛され、樹脂製抽出キャップ２１は、例えば、フィルター２５と検査試薬とを連通する通路を別途備える。この構成においても、上記（１）から（３）に準じた効果を得ることは可能である。
【００４１】
・樹脂製収容チューブ１１から補強リブ１５が割愛され、樹脂製収容チューブ１１は、例えば、チューブ先端部１１Ｅ１や、被螺着部１３よりもチューブ基端部１１Ｅ２側において、それ以外よりも肉厚に構成される。この構成においても、上記（３）に準じた効果を得ることは可能である。
・樹脂製抽出キャップ２１は、フィルター２５を割愛された構造体として具体化することも可能である。
【００４２】
・検体採取棒は、採便棒に限らず、例えば、検体を採取する綿などを棒部材の先端に備えた部材に変更され、ウィルスや菌などの存在を検査するために用いられる。この際、検体検査キットは、ウィルスや菌などの検体を検査するためのキットに具体化される。
【００４３】
例えば、図６が示すように、検体検査キットが備える樹脂製収容チューブ１１の一端は、差し込み口１１Ｔを備え、差し込み口１１Ｔは、基端シール１２Ｔによって閉塞されている。基端シール１２Ｔを構成する材料は、上記シール１２と同じく、アルミニウムなどの金属、ポリエチレンやポリプロピレンなどの樹脂、これらの組み合わせのいずれかである。樹脂製収容チューブ１１の内部は、上記シール１２、および、基端シール１２Ｔによって閉塞されると共に、検査液を収容している。検体採取棒１１Ｋの先端１１Ｍは、脱脂綿などが巻き付けられており、鼻腔拭い液などの検査の対象となる検体の採取に用いられる。検体検査キットを用いた検査が行われる際には、まず、樹脂製収容チューブ１１の差し込み口１１Ｔから、基端シール１２Ｔが剥がされ、差し込み口１１Ｔが開封される。次いで、検体を採取した検体採取棒１１Ｋが、検体採取棒１１Ｋの先端１１Ｍから、樹脂製収容チューブ１１の内部に差し込まれ、樹脂製収容チューブ１１の差し込み口１１Ｔと螺合する。そして、上述したように、樹脂製抽出キャップ２１が樹脂製収容チューブ１１に取り付けられることによって、滴下ノズル２４から検査液を滴下することが可能となる。こうした検体検査キットは、検査液と検体採取棒１１Ｋとを別々に保存するため、検査前の検体採取棒１１Ｋを検査液に浸す必要がない。それゆえに、検体の採取に際して検体採取棒１１Ｋを生体に挿入する検査に好適である。
【符号の説明】
【００４４】
Ｈ    差し込み長さ
Ｄ１  外径
Ｄ２  内径
１１  樹脂製収容チューブ
１１Ｅ１  チューブ先端部
１１Ｅ２  チューブ基端部
１１Ｋ  検体採取棒
１１Ｍ  先端
１１Ｔ  差し込み口
１２  シール
１２Ｔ  基端シール
１３  被螺着部
１４  シールリブ
１５  補強リブ
２１  樹脂製抽出キャップ
２１Ｂ  外側底面
２１Ｍ  キャップ本体部
２１Ｓ  内周面
２２  トリガー突起
２２Ｅ  突起基部
２２Ｈ  貫通孔
２２Ｔ  円錐部
２３  螺着部
２４  滴下ノズル
２５  フィルター
【図１】
2018013429.tif 000003
【図２】
2018013429.tif 000004
【図３】
2018013429.tif 000005
【図４】
2018013429.tif 000006
【図５】
2018013429.tif 000007
【図６】
2018013429.tif 000008